(57)【要約】【課題】媒体を載置するトレイに配備された用紙ガイドは、媒体サイズに対応して移動できる構成のものがあるが、載置する媒体の最大サイズに合わせて用紙ガイドの移動可能領域を設定する場合、媒体のサイズ的なバラツキを考慮すると、ある程度の余裕（隙間）をとって設定する必要があり、このために媒体を搬送する際のスキューやつまりが発生する。【解決手段】  トレイフレーム２０１と、トレイフレーム上に積載された読み取り原稿１４０の、搬送方向と直交する幅方向の位置を規制するための用紙ガイド３０１，４０１とを有し、用紙ガイド３０１，４０１は、当接部４１１が、幅方向において、第１の移動領域Ｍから第２の移動領域Ｎに向かって移動可能であって、当接部４１１が第１と第２の移動領域の境を移動する際の操作力Ｆ３を、当接部４１１が第１の移動領域Ｍを移動するときの操作力Ｆ１よりも強く設定する。【選択図】図１３
2017128410.tif 000002
【特許請求の範囲】
【請求項１】
媒体を載置する媒体載置部と、
前記媒体載置部上に積載された前記媒体の、搬送方向と直交する幅方向の位置を規制するためのガイド部と
を有し、
前記ガイド部は、
その所定部が、前記幅方向において、前記媒体載置部に対して第１の領域から第２の領域に向かって移動可能であって、
前記所定部が、前記第１の領域と前記第２の領域との境を、前記第１の領域から前記第２の領域に向かって移動する際に前記ガイド部を操作する第３の操作力が、
前記所定部が、前記第１の領域内を移動する際に前記ガイド部を操作する第１の操作力より大きいことを特徴とする媒体トレイ。
【請求項２】
前記第３の操作力が、前記所定部が、前記第２の領域内を移動する際に前記ガイド部を操作する第２の操作力より大きいことを特徴とする請求項１記載の媒体トレイ。
【請求項３】
前記第２の操作力は、前記第１の操作力以上であることを特徴とする請求項２記載の媒体トレイ。
【請求項４】
前記ガイド部に作用し、前記第３の操作力を必要とするための負荷を生成する負荷変動部材を設けたことを特徴とする請求項１乃至３の何れかに記載の媒体トレイ。
【請求項５】
前記所定部は、前記ガイド部の前記幅方向の一端部に形成され、
前記負荷変動部材は、
前記所定部が前記第１の領域から前記第２の領域に向けて移動するとき、該所定部が前記境で当接する当接面と、前記所定部を前記当接面から前記第２の領域へと誘導する誘導部と
を有することを特徴とする請求項４記載の媒体トレイ。
【請求項６】
前記負荷変動部材は、前記媒体載置部に備えられたことを特徴とする請求項４又は５記載の媒体トレイ。
【請求項７】
前記ガイド部は、可撓性を有する部材で形成されていることを特徴とする請求項４乃至６の何れかに記載の媒体トレイ。
【請求項８】
前記ガイド部は、前記媒体の前記幅方向の端部を規制する規制面を有し、前記境は、前記規制面が、積載可能な媒体サイズの最大幅となるときの前記所定部に対応する位置に設けられていることを特徴とする請求項４乃至７の何れかに記載の媒体トレイ。
【請求項９】
前記規制面が前記媒体の複数のサイズに対応する各位置で、前記ガイド部を所定の拘束力でロックするためのロック機構を備え、
前記ロック機構は、前記ガイド部及び前記媒体載置部の何れか一方に配置された係合突起と、他方に配置されて、前記係合突起と係合する係合溝とからなることを特徴とする請求項８記載の媒体トレイ。
【請求項１０】
前記ロック機構によって、ロックされた前記ガイド部のロックを解除する際に前記ガイド部を操作する第４の操作力が、前記第１の操作力、及び前記第３の操作力に対して、
第１の操作力＜第４の操作力＜第３の操作力
となることを特徴とする請求項９記載の媒体トレイ。
【請求項１１】
請求項８乃至１０の何れかに記載の媒体トレイと、
操作者による入力を受け付ける操作パネルと
を備えたことを特徴とする媒体搬送装置。
【請求項１２】
前記ガイド部は、前記媒体載置部に配設されたピニオンギアを介して互いに平行に配置され、各々が前記ピニオンギアに歯合するラックを備えた第１のガイド部と第２のガイド部を備え、
前記第１のガイド部の第１の規制面と前記第２のガイド部の第２の規制面とが、前記幅方向において互いに対向して逆方向に移動するように配置され、
前記操作パネルは、前記幅方向において、前記第１のガイド部の第１の規制面と前記第２のガイド部の第２の規制面の移動領域外に配置され、
前記負荷変動部材は、前記操作パネルからより離れた方に配置された前記第２の規制面を有する前記第２のガイド部に作用するように配置されたことを特徴とする請求項１１記載の媒体搬送装置。
【請求項１３】
操作者が、前記操作パネルにより近い方に配置された第１の規制面を有する第１のガイド部に前記第３の操作力を加えたときのみ、前記ガイド部の所定部が、前記第１の領域と前記第２の領域との境を、前記第１の領域から前記第２の領域に向かって移動することを特徴とする請求項１２記載の媒体搬送装置。
【請求項１４】
請求項１０乃至１３の何れかの媒体搬送装置を備えたことを特徴とする画像読取装置。
【発明の詳細な説明】
【技術分野】
【０００１】
本発明は、媒体トレイ、媒体搬送装置及び画像読取装置に関し、特に読み取り原稿を載置するトレイの構造に関する。
【背景技術】
【０００２】
従来、媒体搬送装置において、媒体を載置するトレイに配備された用紙ガイドは、媒体サイズに対応して移動できる構成のものがあった。
（例えば、特許文献１参照）。
【先行技術文献】
【特許文献】
【０００３】
【特許文献１】特開２０１４−１３３６５９号公報（第１２頁、図１２）
【発明の概要】
【発明が解決しようとする課題】
【０００４】
しかしながら、載置する媒体の最大サイズに合わせて用紙ガイドの移動可能範囲を設定する場合、移動可能領域は、媒体の規格サイズよりも大きくなるように設定される。この場合、用紙ガイドの位置が任意に定められるようにすると、媒体と用紙ガイドの間に隙間が生じやすくなり、媒体を搬送する際のスキューやつまりが発生する場合がある。
【課題を解決するための手段】
【０００５】
本発明による媒体トレイは、媒体を載置する媒体載置部と、前記媒体載置部上に積載された前記媒体の、搬送方向と直交する幅方向の位置を規制するためのガイド部とを有し、
前記ガイド部は、
その所定部が、前記幅方向において、前記媒体載置部に対して第１の領域から第２の領域に向かって移動可能であって、
前記所定部が、前記第１の領域と前記第２の領域との境を、前記第１の領域から前記第２の領域に向かって移動する際に前記ガイド部を操作する第３の操作力が、前記所定部が、前記第１の領域内を移動する際に前記ガイド部を操作する第１の操作力より大きいことを特徴とする。
【発明の効果】
【０００６】
本発明によれば、用紙ガイドの移動可能範囲における規格サイズの付近で、ユーザに対して用紙ガイドの操作への注意を促すことができ、媒体搬送における安定性を向上させることができる。
【図面の簡単な説明】
【０００７】
【図１】本発明による媒体トレイを備えた媒体搬送装置を採用する実施の形態１の画像読取装置の外観斜視図である。
【図２】画像読取装置の要部構成を説明するための概略構成図である。
【図３】画像読取装置の片面読み取り時の搬送経路の説明に供する図である。
【図４】画像読取装置の両面読み取り時の搬送経路の説明に供する図である。
【図５】画像読取装置の両面読み取り時の搬送経路の説明に供する図である。
【図６】画像読取装置の両面読み取り時の搬送経路の説明に供する図である。
【図７】実施の形態１において、原稿トレイを斜め上方からみた外観斜視図である。
【図８】実施の形態１の原稿トレイを上下反転させた状態で斜め上方からみた外観斜視図である。
【図９】実施の形態１において、前後の用紙ガイドの構成及び配置の説明に供する図である。
【図１０】用紙ガイドのラック保持部の近傍を、斜め上方からみた外観斜視図である。
【図１１】用紙ガイドのラック保持部の近傍の構成を示す部分拡大図である。
【図１２】実施の形態１において、原稿トレイの動作説明に供する図である。
【図１３】実施の形態１において、原稿トレイの動作説明に供する図である。
【図１４】本発明による実施の形態２の原稿トレイを上下反転させた状態で斜め上方からみた外観斜視図である。
【図１５】図１４におけるラックの付勢部近傍の部分拡大図である。
【発明を実施するための形態】
【０００８】
実施の形態１．
図１は、本発明による媒体トレイを備えた媒体搬送装置を採用する実施の形態１の画像読取装置の外観斜視図であり、図２は、この画像読取装置の要部構成を説明するための概略構成図である。尚、図１に示す画像読取装置１を、正面（矢印Ａ方向）からみて、画像読取装置１の上下左右前後の方向を特定する場合がある。
【０００９】
画像読取装置１は、フラットベッドユニット１１とフラットベッドユニット１１によって後端側が回動自在に保持された原稿搬送装置１２とを備え、原稿搬送装置１２には、これから読み取る原稿を載置する媒体トレイとしての原稿トレイ２１とその下部に読み取った原稿を載置する排出トレイ２２が備えられ、フラットベッドユニット１１には、前方側に操作パネル３０が配置されている。
【００１０】
操作パネル３０は、例えば画像処理条件の各種設定や装置の状態等を表示する表示部と、装置への命令を入力するための操作部とを備え、ここでは画像読取装置１の正面に配設されている。
【００１１】
この画像読取装置１の原稿搬送装置１２には、図２に示す様に、読み取り原稿１４０を積載する原稿トレイ２１、ピックアップローラ１０１、搬送ローラ対１０２、第１セパレータ１０３、第１反転ローラ対１０４、レジストローラ対１０５、原稿押え部材１０６、スキャンローラ対１０７、第２セパレータ１０８、第２反転ローラ１０９、プレッシャローラ１１０，１１１、及び排出トレイ２２が配設され、フラットベッドユニット１１には、読み取りガラス１５１及び読み取りセンサ１５２が配設されている。
【００１２】
原稿トレイ２１には、媒体としての読み取り原稿１４０がセットされ、ピックアップローラ１０１は、原稿トレイ２１に重ねて載置された読み取り原稿１４０の最上部の原稿を、原稿搬送装置１２内の用紙搬送路に向かって送り出す。搬送ローラ対１０２は、用紙搬送方向におけるピックアップローラ１０１の下流側に設けられ、ピックアップローラ１０１により繰出された読み取り原稿１４０を１枚ずつ分離搬送する。第１セパレータ１０３は、片面読み取り又は両面読み取りの各読み取りモードに応じて原稿搬送路を切り換える。
【００１３】
第１反転ローラ対１０４は、原稿の搬送及び両面印刷時の原稿搬送方向切り換えを行い、レジストローラ対１０５は、搬送される読み取り原稿１４０のスキュー補正を行う。フラットベッドユニット１１の上面には、板状の読み取りガラス１５１が水平方向に配置され、原稿押え部材１０６は、図示しない付勢部材により読み取りガラス１５１に付勢されており、用紙搬送路に沿って搬送される読み取り原稿１４０を、読み取りガラス１５１に押圧する。尚、原稿押え部材１０６と読み取りガラス１１５の間に隙間を設けて通過する読み取り原稿１４０の移動を円滑にするため、原稿押え部材１０６の下部面の原稿通過領域外に所定厚のフィルムを貼り付けても良い。
【００１４】
読み取りセンサ１５２は、読み取りガラス１５１に覆われるように、フラットベッドユニット１１内に配置され、更に必要に応じて、読み取りガラス１５１を介して原稿押え部材１０６に対向する位置に位置決めされ、原稿押え部材１０６と読み取りガラス１５１の間を搬送されて読み取り位置Ｐ１を通過する読み取り原稿１４０の画像を、読み取り位置Ｐ１で読み取る。
【００１５】
スキャンローラ対１０７は、読み取りセンサ１５２によって画像が読み取られた後の読み取り原稿１４０を下流側に配置された第２セパレータ１０８に向けて送り込み、第２セパレータ１０８は、片面読取り又は両面読取りの各読み取りモードに応じて原稿搬送路を切り替える。第２反転ローラ１０９は、プレッシャローラ１１０と共同して読み取り完了後の読み取り原稿１４０を排出トレイ２２に排出し、またプレッシャローラ１１０と共同して両面印刷時の原稿搬送方向切り換えを行なう。
【００１６】
尚、図１中のＸ、Ｙ、Ｚの各軸は、例えばピックアップローラ１０１の回転軸が延在する方向にＹ軸をとり、Ｙ軸と直交して読み取りガラス１５１の上面と平行な方向にＸ軸をとり、これら両軸と直交する方向にＺ軸をとっている。また、後述する他の図においてＸ、Ｙ、Ｚの各軸が示される場合、これらの軸方向は、共通する方向を示すものとする。即ち、各図のＸＹＺ軸は、各図の描写部分が、図１に示す画像読取装置１を構成する際の配置方向を示している。またここでは、Ｚ軸が略鉛直方向となるように配置されるものとする。
【００１７】
以上の構成において、片面読み取り時及び両面読み取り時における読み取り原稿の搬送経路について説明する。図３は、片面読み取り時の搬送経路の説明に供する図であり、図４〜図６は、両面読み取り時の搬送経路の説明に供する図である。
【００１８】
先ず、図３を参照しながら片面読み取り時の搬送経路について説明する。尚、図３において搬送路に示される各矢印は、各搬送路における読み取り原稿１４０の搬送方向を示している。
【００１９】
片面読み取り動作が開始されると、原稿トレイ２１に重ねて載置された読み取り原稿１４０は、ピックアップローラ１０１によって上から順に搬送路に送り込まれ、搬送ローラ対１０２によって一枚に捌かれて下流側に搬送される。このとき第１セパレータ１０３は、図３に示す第１ポジションに位置決めされており、送り込まれてくる読み取り原稿１４０を順方向に回転する第１反転ローラ対１０４に導く。第１反転ローラ対１０４によってそのままレジストローラ対１０５に送られた読み取り原稿１４０は、このレジストローラ対１０５で斜行が矯正された後、読み取り位置Ｐ１を通過し、ここで画像が読み取りセンサ１５２によって読み取られる。
【００２０】
尚、レジストローラ対１０５は、読み取り原稿１４０が到達した時点では停止しており、原稿先端部がレジストローラ対１０５へと突き当たって先端部の斜行が解消された段階で回転を開始する。これにより、斜行が矯正された読み取り原稿１４０を読み取り位置Ｐ１に送り出すことできる。
【００２１】
画像の読取りが実施された読み取り原稿１４０は、スキャンローラ対１０７、図３に示す第１ポジションに位置決めされた第２セパレータ１０８によって、順方向に回転する第２反転ローラ１０９とプレッシャローラ１１１とのニップ部に送り込まれ、排出トレイ２２に排出される。
【００２２】
次に、図４〜図６を参照しながら両面読み取り時の搬送経路について説明する。尚、図４〜図６において各搬送路に示される各矢印は、各段階での読み取り原稿１４０の搬送方向を示している。
【００２３】
両面読み取り動作が開始されると、原稿トレイ２１に重ねて載置された読み取り原稿１４０は、ピックアップローラ１０１によって上から順に搬送路に送り込まれ、搬送ローラ対１０２によって一枚に捌かれて下流側に搬送される。このとき第１セパレータ１０３は、図４に示す第２ポジションに位置決めされており、送り込まれてくる読み取り原稿１４０を同図に矢印で示す経路にて、逆方向に回転する第１反転ローラ対１０４に導く。
【００２４】
第１反転ローラ対１０４は、読み取り原稿１４０の後端が接近した時点で順方向回転に反転駆動され、これにより、読み取り原稿１４０を、図５に矢印で示す経路にてレジストローラ対１０５に送りこむ。第１反転ローラ対１０４によって上下面が逆にされた状態でレジストローラ対１０５に送られた読み取り原稿１４０は、このレジストローラ対１０５で斜行が矯正された後、読み取り位置Ｐ１を通過し、ここで先ず第２面の画像が読み取りセンサ１５２によって読み取られる。
【００２５】
第２面の画像の読取りが実施された読み取り原稿１４０は、スキャンローラ対１０７、図５に示す第２ポジションに位置決めされた第２セパレータ１０８によって、逆方向に回転する第２反転ローラ１０９とプレッシャローラ１１０とのニップ部に送り込まれ、読み取り原稿１４０の後端が第２セパレータ１０８の先端部を通過するまで同方向に搬送される。
【００２６】
読み取り原稿１４０の後端が第２セパレータ１０８の先端部を通過すると、第１セパレータ１０３及び第２セパレータ１０８が、それぞれ図６に示す第１ポジションに位置決めされ、第２反転ローラ１０９が、順方向回転に反転駆動される。これにより、読み取り原稿１４０は、第１セパレータ１０３によって、順方向に回転する第１反転ローラ対１０４に導かれ、再び上下面が逆にされた状態でレジストローラ対１０５に送られる。
【００２７】
レジストローラ対１０５に送られた読み取り原稿１４０は、このレジストローラ対１０５で斜行が矯正された後、読み取り位置Ｐ１を通過し、ここで第１面の画像が読み取りセンサ１５２によって読み取られる。第１面の画像の読取りが実施された読み取り原稿１４０は、スキャンローラ対１０７、図６に示す第１ポジションに位置決めされた第２セパレータ１０８によって、順方向に回転する第２反転ローラ１０９とプレッシャローラ１１１とのニップ部に送り込まれ、排出トレイ２２に排出される。
【００２８】
以上のようにして、画像読取装置１による、読み取り原稿１４０の片面読み取り及び両面読み取りが行われる。
【００２９】
次に原稿トレイ２１の構成について説明する。図７は、原稿トレイ２１を斜め上方からみた外観斜視図であり、図８は、原稿トレイ２１を上下反転させた状態で斜め上方からみた外観斜視図であり、図９は、前後の用紙ガイド３０１，４０１の構成及び配置の説明に供する図であり、図１０は、用紙ガイド３０１のラック保持部３０７，３０８の近傍を斜め上方からみた外観斜視図であり、図１１は、用紙ガイド４０１のラック保持部４０８の近傍の構成を示す部分拡大図であり、図１２、図１３は、原稿トレイ２１の動作説明に供する図であり、図１３は、負荷変動突起２５１とその周辺を部分拡大した図である。尚、図８では、内部構成を示すため、裏面全体を覆うようにネジ止め配設される裏蓋を除いた状態を示している。
【００３０】
これらの図に示す様に、原稿トレイ２１は、媒体載置部としてのトレイフレーム２０１と、このトレイフレームにスライド可能に保持された前後一対のガイド部としての用紙ガイド３０１，４０１によって構成されている。前側に配置された用紙ガイド３０１と後側に配置された用紙ガイド４０１とは類似した構成でトレイフレーム２０１に保持されているため、ここでは、前側に配置された用紙ガイド３０１とトレイフレーム２０１の関係を主に説明しながら、全体の構成を説明する。
【００３１】
用紙ガイド３０１は、ガイドブロック３２０とガイドブロック３２０によって保持された一対のラック３０５，３０６を備える。ガイドブロック３２０は、原稿トレイ２１に載置される読み取り原稿１４０（図２）の、送り出し方向を示す矢印Ｂ方向と直交する幅方向の一端側を載置する載置面３０３ａを有する板状部３０３と、載置面３０３ａに対して垂直に形成されて矢印Ｂ方向に延在し、読み取り原稿１４０の一端側を規制する規制面３０２を備える。
【００３２】
板状部３０３の載置面３０３ａとは反対側の下部面３０３ｂ（図１０）には、矢印Ｂ方向に所定の間隔で形成された一対のラック保持部３０７，３０８が垂下し、ラック保持部３０７は、載置面３０３ａと平行で矢印Ｂ方向とは直交する方向に延在する板状のラック３０５（左側）を保持し、同じくラック保持部３０８は、載置面３０３ａと平行で矢印Ｂ方向とは直交する方向に延在する板状のラック３０６（右側）を保持している。このとき、板状部３０３の下部面３０３ｂと、ラック３０５，３０６の上面３０５ａ，３０６ａとの間にはそれぞれ所定の段差ｇ１が形成されている。
【００３３】
ラック３０５には、右側側部に歯部３０５ｂが形成され、左側側部に付勢部３０５ｃが形成され、同様にラック３０６にも歯部３０６ｂ及び付勢部３０６ｃが形成され、両者は同一形状である。また用紙ガイド３０１には、載置面３０３ａに対向する位置に、載置する読み取り原稿１４０の量を制限する規制板３０４が配設されている。
【００３４】
一方、用紙ガイド３０１に対して後側に配置される用紙ガイド４０１は、例えば図７、図９に示すように、その規制面４０２が用紙ガイド３０１の規制面３０２に対向して平行に配置されるとき、ラック４０５，４０６及びラック保持部４０７，４０８を除いて用紙ガイド３０１と面対称となるように形成されている。
【００３５】
ラック４０５，４０６及びラック保持部４０７，４０８は、用紙ガイド３０１の規制面３０２と用紙ガイド４０１の規制面４０２が平行に対向する所定の位置に配置されるとき、ラック４０５は、その歯部４０５ｂが後述するピニオンギア２０２を介してラック３０５の歯部３０５ｂと対向し、共にピニオンギア２０２と歯合するように配置され、ラック４０６は、その歯部４０６ｂが後述するピニオンギア２０３を介してラック３０６の歯部３０６ｂと対向し、共にピニオンギア２０３と歯合するように配置される。
【００３６】
ここでは、ラック３０５，３０６，４０５，４０６は同一形状であり、ラック４０５がラック３０５と逆向きに配置され、ラック４０６がラック３０６と逆向きに配置されている。
【００３７】
図７に示すように、トレイフレーム２０１には、装着する用紙ガイド３０１が前後方向（Ｙ軸方向）にスライド移動できるようなガイド長孔２０５，２０６が形成され、ガイド長孔２０５の端部には、用紙ガイド３０１を装着するための角孔２０７が連続して形成され、同様にガイド長孔２０６の端部には角孔２０８が連続して形成されている。
【００３８】
同じくトレイフレーム２０１には、装着する用紙ガイド４０１が前後方向（Ｙ軸方向）にスライド移動できるようなガイド長孔２３５，２３６が形成され、ガイド長孔２３５の端部には、用紙ガイド４０１を装着するための角孔２３７が連続して形成され、同様にガイド長孔２３６の端部には角孔２３８が連続して形成されている。
【００３９】
ここで、用紙ガイド３０１をトレイフレーム２０１に装着する方法について説明する。図９に示す用紙ガイド３０１のラック３０５，３０６の各先端部が、鉛直下方を向くようにして、図７に示すトレイフレーム２０１の角孔２０７，２０８にそれぞれ挿入し、板状部３０３がトレイフレーム２０１に当接する程度まで押し下げる。
【００４０】
その後、９０度程度Ｘ軸回りに回転することによって、図７、図８に示すように、板状部３０３がトレイフレーム２０１の表（上）側に、ラック３０５，３０６がトレイフレーム２０１の裏（下）側にそれぞれ位置して、ラック保持部３０７がガイド長孔２０５を貫通し、ラック保持部３０８がガイド長孔２０６を貫通する状態となる。
【００４１】
この時、図８に示す様に、ラック３０５は、トレイフレーム２０１の裏（下）面に形成されて前後方向（Ｙ軸方向）に延在するガイド壁２１１とガイド壁２１２によって左右が囲まれた領域に収容され、ラック３０６は、同じくトレイフレーム２０１の裏面に形成されて前後方向（Ｙ軸方向）に延在するガイド壁２１４とガイド壁２１５によって左右が囲まれた領域に収容される。
【００４２】
またラック３０５と同様にトレイフレーム２０１に装着される用紙ガイド４０１のラック４０５は、トレイフレーム２０１の裏面に形成されて前後方向（Ｙ軸方向）に延在するガイド壁２１３とガイド壁２１４によって左右が囲まれた領域に収容され、ラック４０６は、同じくトレイフレーム２０１の裏面に形成されて前後方向（Ｙ軸方向）に延在するガイド壁２１６とガイド壁２１７によって左右が囲まれた領域に収容される。尚、ガイド壁２１４は、ここでは両側の各面がラック４０５、ラック３０６をそれぞれガイドするように構成されている。
【００４３】
ピニオンギア２０２は、所定の間隔をもって対向して配置された、ラック３０５の歯部３０５ｂとラック４０５の歯部４０５ｂとの間にあって、両歯部と同時に歯合するように、トレイフレーム２０１に回転自在にネジ止めされ、ピニオンギア２０３は、同じく所定の間隔をもって対向して配置された、ラック３０６の歯部３０６ｂとラック４０６の歯部４０６ｂとの間にあって、両歯部と同時に歯合するように、トレイフレーム２０１に回転自在にネジ止めされる。
【００４４】
またラック３０５は、ガイド壁２１１に形成されてＹ軸方向に延在する規制突起２１１ｂとトレイフレーム２０１の裏面に形成されて同じくＹ軸方向に延在するガイド突起２０１ａによって上下方向の移動が規制され、同じくラック４０５は、ガイド壁２１４に形成された規制突起２１４ａとトレイフレーム２０１の裏面に形成されたガイド突起２０１ｂによって上下方向の移動が規制され、同じくラック３０６は、ガイド壁２１４に形成された規制突起２１４ｂとトレイフレーム２０１の裏面に形成されたガイド突起２０１ｃによって上下方向の移動が規制され、同じくラック４０６は、ガイド壁２１７に形成された規制突起２１７ｂとトレイフレーム２０１の裏面に形成されたガイド突起２０１ｄによって上下方向の移動が規制される。
【００４５】
更にピニオンギア２０２は、ギア部よりやや径大に形成されたフランジ部２０２ａ（図９）によってラック３０５及びラック４０５の下方（Ｚ軸のマイナス方向）移動を規制し、同じくピニオンギア２０３は、ギア部よりやや径大に形成されたフランジ部２０３ａ（図９）によってラック３０６及びラック４０６の下方（Ｚ軸のマイナス方向）移動を規制する。
【００４６】
ラック３０５は、ガイド壁２１１に圧接する付勢部３０５ｃによってその歯部３０５ｂがピニオンギア２０２に付勢されて歯合を確実に維持し、ラック４０５は、ガイド壁２１４に圧接する付勢部４０５ｃによってその歯部４０５ｂがピニオンギア２０２に付勢されて歯合を確実に維持し、ラック３０６は、ガイド壁２１４に圧接する付勢部３０６ｃによってその歯部３０６ｂがピニオンギア２０３に付勢されて歯合を確実に維持し、ラック４０６は、ガイド壁２１７に圧接する付勢部４０６ｃによってその歯部４０６ｂがピニオンギア２０３に付勢されて歯合を確実に維持する。
【００４７】
各ラック３０５，３０６，４０５，４０６と各ピニオンギア２０２，２０３とは、この状態で、各ラック３０５，３０６，４０５，４０６が互いに平行状態を保ったまま、平行移動できるように各部のサイズが考慮されるものである。
【００４８】
更に、用紙ガイド３０１及び用紙ガイド４０１は、トレイフレーム２０１に装着される段階で、規制面３０２と規制面４０２とが、例えば図９に一点鎖線で示す、用紙搬送路の幅中心位置２７０から等距離となるように配置され、ピニオンギア２０２，２０３を介して平行移動動作が連動する。
【００４９】
即ち、操作者が、例えば手前側の用紙ガイド３０１を操作して、幅中心位置２７０に近づける方向（Ｙ軸のマイナス方向）に移動すると、ピニオンギア２０２，２０３は時計方向に回転し（図９において）、奥側の用紙ガイド４０１も同距離だけ幅中心位置２７０に近づく方向（Ｙ軸のプラス方向）に移動する。逆に手前側の用紙ガイド３０１を操作して、幅中心位置２７０から離れる方向（Ｙ軸のプラス方向）に移動すると、ピニオンギア２０２，２０３は反時計方向に回転し（図９において）、奥側の用紙ガイド４０１も同距離だけ幅中心位置２７０から離れる方向（Ｙ軸のマイナス方向）に移動する。
【００５０】
原稿トレイ２１には、矢印Ｂ方向に搬送される読み取り原稿１４０が載置されるが、この読み取り原稿１４０は、用紙ガイド３０１の載置面３０３ａ、用紙ガイド４０１の載置面４０３ａ、トレイフレーム２０１の中央平板部２０９（図７）、及びトレイ平板部２１０によって保持される。
【００５１】
従って、これらの各載置面は略面一となるように形成されている。尚、トレイ平板部２１０から突出する原稿検出ピン２０１ｆ、２０１ｇは、読み取り原稿１４０が載置されると、その重みによって引込むように形成されており、その位置変位によって載置される読み取り原稿１４０を検出する検出器を構成するものである。
【００５２】
従って、操作者が読み取り原稿１４０を原稿トレイ２１に載置する際には、先ず原稿の用紙サイズに応じて手前側の用紙ガイド３０１を操作し、用紙ガイド４０１の移動領域に沿ってトレイフレーム２０１上の表面に、各用紙サイズに対応して形成されたサイズ目盛り２４０の所望の位置に指示突起４１０をおおよそ合わせ、規制面３０２，４０２によってガイドされながら原稿用紙１４０を載置する。
【００５３】
サイズ目盛り２４０は、各サイズ読み取り原稿１４０を載置する際の目安となるもので、用紙ガイド４０１に形成された指示突起４１０を合わせることによって、用紙ガイド３０１，４０１が、各サイズの読み取り原稿を載置する際の最適位置となるように、位置設定されている。
【００５４】
ここでは、最も外側の目盛り２４０ａは、Ａ３の読み取り原稿１４０を縦送りにセットする際の目盛りであって、指示突起４１０をこの位置に合わせたとき、用紙ガイド３０１の規制面３０２と用紙ガイド４０１の規制面４０２との間のガイド幅Ｗ（図９）が規格サイズである２９７ｍｍとなるように設定されている。
【００５５】
負荷変動部材としての負荷変動突起２５１は、後述するように、用紙ガイド４０１のガイドブロック４２０の外側壁４２０ａに当接して移動環境を変える部材で、指示突起４１０が、最も外側の目盛り２４０ａ（図７）よりも更に０．５ｍｍ外側に移動する、即ちガイド幅Ｗが（２９７＋１）ｍｍとなる時点で、外側壁４２０ａの最下部であって所定部としての当接部４１１が負荷変動突起２５１の当接面２５１ａ（図１３）に当接するように位置決めされ、配置されている。
【００５６】
ここでの負荷変動突起２５１の当接面２５１ａは、ガイド載置面２２１（図７）に対してほぼ垂直に形成され、ガイドブロック４２０の外側壁４２０ａは、当接部４１１が鋭角となるように、板状部４０３の下部面４０３ｂに対してやや傾斜して形成されている。
【００５７】
尚、ここでは、負荷変動突起２５１が、操作パネル３０（図１）に対峙する操作者から遠い方の用紙ガイド４０１に当接するように配置されている。
【００５８】
図１１に示すように、用紙ガイド４０１は、その板状部４０３の下部面４０３ｂが、トレイフレーム２０１のガイド載置面２２１に載置されながらこのガイド載置面上を移動する。そして上方への移動は、ラック保持部４０７（４０８）から左右に突出する規制プレート４０９（図８参照）の上面がトレイフレーム２０１の裏面に形成されたガイド突起２０１ｂ，２０１ｄに当接して規制される。
【００５９】
従って、ガイド載置面２２１のガイド突起２０１ａ，２０１ｃを含めた厚みをｈ、板状部４０３の下部面４０３ｂから規制プレート４０９の上面までの距離をｇ２（＜ｇ１）とすると、用紙ガイド４０１のガイドブロック４２０における上下方向のガタ（遊び）ΔＤは、
ΔＤ＝ｇ２−ｈ
となる。
【００６０】
例えば、Ａ３の用紙では、短手方向の寸法が、バラツキによって、２９８ｍｍを超える場合がある。原稿トレイ２１は、このような場合にも対応できるように、用紙ガイド４０１が、負荷変動突起２５１を越えて、更にガイド幅Ｗを広げることが可能となっている。以下に、その構成、動作、作用について説明する。尚、図１２、図１３はこれらの説明に供する図である。
【００６１】
図１１に示すように、用紙ガイド４０１は、ガイド幅Ｗが所定の（２９７＋１）ｍｍとなる時点でその当接部４１１が負荷変動突起２５１の当接面２５１ａ（図１３）に当接するが、この時、通常は板状部４０３の下部面４０３ｂがトレイフレーム２０１のガイド載置面２２１に接した状態となるため、ガイドブロック４２０における上下方向のガタ（遊び）ΔＤは、規制プレート４０９の上面とトレイフレーム２０１の裏面に形成されたガイド突起２０１ｂ，２０１ｄとの間に生じる。
【００６２】
尚、図１１では、構成を明確にするため、板状部４０３の下部面４０３ｂがトレイフレーム２０１のガイド載置面２２１から多少浮いた状態を示している。
【００６３】
この状態で操作者が、自身に近い、例えば図９に示す手前側の用紙ガイド３０１（図９）を操作して、幅中心位置２７０から離れる方向（Ｙ軸のプラス方向）へ移動すべく同方向への力を加えると、用紙ガイド４０１は、ピニオンギア２０２と歯合するラック４０５及びピニオンギア２０３と歯合するラック４０６が各噛合部を力点として矢印Ｃ方向（Ｙ軸のマイナス方向）への力を受ける。
【００６４】
用紙ガイド４０１は、当接部４１１が負荷変動突起２５１の当接面２５１ａ（図１３）に規制されながら、この力を受け、先ずそのガイドブロック４２０が、ガタ（遊び）ΔＤによって移動が可能な上方（Ｚ軸プラス方向）に変位し、更に当接部４１１が負荷変動突起２５１の誘導部２５１ｂ（図１３）にガイドされながら全体的に矢印Ｃ方向に移動し、やがて図１２、図１３に示すように、下部面４０３ｂが負荷変動突起２５１の誘導部２５１ｂと上部面２５１ｃとの稜線部或は上部面２５１ｃに当接しながら更に同方向に移動する。
【００６５】
上記したガイドブロック４２０の上方への変位は、用紙ガイド４０１自体の反りや撓みが主な要因となって生ずるものであり、このため、ここでの用紙ガイド４０１は、可撓性を有するポリカーボネート等のＡＢＳ樹脂によって形成されている。
【００６６】
このためここでは、負荷変動突起２５１の高さＪ（図１３）が、ガイドブロック４２０における上下方向のガタ（遊び）ΔＤより小さく設定され、負荷変動突起２５１の上部面２５１ｃはトレイフレーム２０１のガイド載置面２２１と平行に形成されている。
【００６７】
図１３を参照しながら更に説明する。図１３において、点線部は、用紙ガイド４０１の当接部４１１が、第２の調整領域Ｎを移動するときの当接部４１１近傍の状態を示す。尚、各調整領域Ｍ，Ｎは、矢印Ｃ方向（Ｙ軸方向）における当接部４１１の移動領域を示すものである。
【００６８】
用紙ガイド４０１の当接部４１１が、負荷変動突起２５１の当接面２５１ａに当接する境として当接点Ｑに至るまでの第１の領域としての第１の調整領域Ｍを移動する間、即ちガイド幅Ｗ（図９）が所定の２９８（２９７＋１）ｍｍとなるまでの間、操作者は、通常の移動負荷を受けながら第１の操作力Ｆ１で手前側の用紙ガイド３０１（図９）を前後方向（Ｙ軸方向）に移動操作して、ガイド幅Ｗを調整することができる。
【００６９】
操作者が、必要に応じてガイド幅Ｗ（図９）を所定の２９８ｍｍより更に広げるべく、手前側の用紙ガイド３０１に対して外側（Ｙ軸プラス方向）への力を加えると、用紙ガイド４０１は、ピニオンギア２０２，２０３との噛合部を力点として矢印Ｃ方向（Ｙ軸のマイナス方向）の力を受け、自身の反り、撓み、傾斜などが相俟って、負荷変動突起２５１の当接面２５１ａに当接する当接部４１１を、移動が可能な上方（Ｚ軸プラス方向）に変位し、当接部４１１を負荷変動突起２５１の誘導部２５１ｂに導く。即ちガイドブロック４２０が上方に変位する。
【００７０】
ここで操作者は、用紙ガイド４０１を変位するだけの第３の操作力Ｆ３を用紙ガイド３０１に加える必要があり、この第３の操作力Ｆ３は、第１の操作力Ｆ１より大きくなり、ここでは、操作者によって、その力の差が十分感じ取れる程度に設定されている。
【００７１】
当接部４１１が誘導部２５１ｂに至って矢印Ｃ方向の移動を開始すると、当接点Ｑを越えて第２の領域としての第２の調整領域Ｎを移動することになり、ガイド幅Ｗ（図９）が所定の２９８ｍｍを越えて増加する。
【００７２】
この第２の調整領域Ｎでは、当接部４１１が、先ず誘導部２５１ｂの傾斜面にガイドされながら矢印Ｃ方向に移動し、やがて下部面４０３ｂが、負荷変動突起２５１の誘導部２５１ｂと上部面２５１ｃとの稜線部或は上部面２５１ｃに当接しながら更に同方向に移動する。このため、当接部４１１がこの第２の調整領域Ｎを矢印Ｃ方向に移動する間、操作者は、第１の操作力Ｆ１と略同等の第２の操作力Ｆ２で、手前側の用紙ガイド３０１（図９）を外側（Ｙ軸プラス方向）に移動することになる。
【００７３】
尚、第２の操作力Ｆ２は、当接部４１１が誘導部２５１ｂを移動するときや、用紙ガイド４０１の状態、例えばその傾きや反りによって移動負荷が多少ばらつき、概ね第１の操作力Ｆ１より大きくなるが、Ｆ３よりは小さく、
Ｆ３＞Ｆ２≧Ｆ１
の関係が保たれる。
【００７４】
以上、操作者が、図９に示す手前側の用紙ガイド３０１（図９）を操作して、ガイド幅Ｗを所定の（２９７＋１）ｍｍ以上とする例を説明したが、ここで、操作者が図９に示す後側の用紙ガイド４０１（図９）を操作して、ガイド幅Ｗを所定の（２９７＋１）ｍｍ以上とする場合について説明する。
【００７５】
この場合の一般的な操作方法としては、例えば図１１において、操作者が用紙ガイド４０１の規制面４０２に手をかけ、用紙ガイド４０１を矢印Ｃ方向に移動させることになる。この時、当接部４１１が負荷変動突起２５１に当接する当接点を中心にして用紙ガイド４０１を時計方向に回転する力も生ずる。これにより用紙ガイド４０１のラック４０５，４０６或は規制プレート４０９がトレイフレーム２０１のガイド突起２０１ｄに当接し、今度はこの当接部を支点として当接部４１１を下方に付勢する力が生ずる。
【００７６】
このため、当接部４１１が、当接する負荷変動突起２５１の当接面２５１ａを上方に移動することがなく、第２の調整領域Ｎに移ることはない。従って、原稿トレイ２１は、操作者が、手前側の用紙ガイド３０１を操作したときのみ、そのガイド幅Ｗを所定の（２９７＋１）ｍｍ以上とすることが可能となる。
【００７７】
尚、本実施の形態では、本発明による原稿トレイ２１を画像読取装置１に採用した例を示したが、これに限定されるものではなく、例えばコピー機における記録用紙を載置する用紙トレイとして採用することも可能である。
【００７８】
また、本実施の形態では、用紙ガイド４０１の当接部４１１を外側壁４２０ａの最下部に設定したが、これに限定されるものではなく、例えば指示突起４１０に設定し、これに合わせて負荷変動突起２５１の配設位置及び形状を適宜設定するようにすることも可能であるなど、種々の態様を取り得るものである。
【００７９】
以上のように本実施の形態の原稿トレイ２１によれば、ガイド幅Ｗを所定のガイド幅（例えば規格サイズの２９８ｍｍ）以上に広げる際には、通常の操作力Ｆ１よりも強い操作力Ｆ３が必要になるため、操作者に対して注意を促すことになり、誤操作、誤設定を防止して媒体搬送における安定性を向上できる。
【００８０】
また、通常の操作力Ｆ１よりも強い操作力Ｆ３で用紙ガイドを操作することにより、通常の操作力Ｆ１で用紙ガイドを操作できる所定のガイド幅（例えば２９８ｍｍ）以上にガイド幅Ｗを広げることが出来るため、載置する読み取り原稿が規格サイズに対してばらつく場合でも対処できる。これにより、所定のガイド幅を用紙の規定サイズに近づけて設定できるため、用紙ガイドと載置する読み取り原稿との隙間を最小限に抑えることができ、搬送される読み取り原稿のスキューやつまり等の発生を抑制できる。
【００８１】
実施の形態２．
図１４は、本発明による実施の形態２の原稿トレイ５１を上下反転させた状態で斜め上方からみた外観斜視図であり、図１５は、図１４におけるラック３０５の付勢部５０５ｃ近傍の部分拡大図である。
【００８２】
この原稿トレイ５１が前記した図８に示す実施の形態１の原稿トレイ２１と主に異なる点は、ガイド壁５１１に一連の位置決め溝群５２１が形成され、ラック３０５の付勢部５０５ｃに位置決め突起５０５ｄ（図１５）が形成されている点である。従って、この原稿トレイが前記した実施の形態１の原稿トレイ２１と共通する部分には同符号を付して或は図面を省いて説明を省略し、異なる点を重点的に説明する。
【００８３】
トレイフレーム５０１上の表面には、前記した図７で説明したトレイフレーム２０１と同様に、各用紙サイズに対応するサイズ目盛り２４０が形成されており、用紙ガイド４０１に形成された指示突起４１０を各サイズ目盛り２４０に合わせることによって、各用紙サイズに対応するガイド幅Ｗが得られるように構成されている。
【００８４】
ガイド壁５１１に形成された一連の位置決め溝群５２１は、指示突起４１０を各サイズ目盛り２４０に合わせた際に、ラック３０５の付勢部５０５ｃに形成された位置決め突起５０５ｄが位置する箇所に対応して形成されている。
【００８５】
また図１５に示すように、位置決め突起５０５ｄが、溝群５２１の各溝、例えば図１５に示す様に位置決め溝５２１ｂに対応する位置に移動したとき、付勢部５０５ｃの付勢力によって位置決め溝５２１ｂに嵌入して位置決めされる。操作者は、位置決めされた用紙ガイド３０１，４０１を開放するには、付勢部５０５ｃの付勢力に抗して、位置決め溝５２１ｂから位置決め突起５０５ｄを脱出するだけの操作力Ｆ４を、例えば手前側の用紙ガイド３０１加える必要がある。
【００８６】
ここでは、この操作力Ｆ４が前記した操作力Ｆ１、操作力Ｆ３に対して
Ｆ１＜Ｆ４＜Ｆ３
となるように設定されている。
【００８７】
尚、ここでは、用紙ガイド３０１のラック３０５の付勢部５０５ｃに形成された位置決め突起５０５ｄが一連の位置決め溝群５２１の何れかの溝に陥入する場合を説明したが、図１４に示すように、用紙ガイド４０１のラック４０６の付勢部４０６ｃに形成された位置決め突起４０６ｄ（図示せず）も、同様にガイド壁５１７に形成された一連の位置決め溝群５２２の何れかの溝に陥入するように構成してもよい。この場合の、操作者が位置決めされた用紙ガイド３０１，４０１を開放するための操作力をＦ４´とした場合、
Ｆ１＜Ｆ４´＜Ｆ３
となるように設定される。
【００８８】
従って、操作者が、用紙ガイド４０１に形成された指示突起４１０を各サイズ目盛り２４０に合わせると、用紙ガイド３０１、４０１は、所定の拘束力でその位置にロックされ、操作力Ｆ４或いはＦ４´で例えば用紙ガイド３０１を移動操作することにより、そのロックを解除することができる。
【００８９】
以上のように、本実施の形態の原稿トレイ２１によれば、各用紙サイズに合わせた位置で、用紙ガイド３０１、４０１が所定の拘束力でロックされるため、用紙ガイド３０１、４０１の位置合わせのための操作性を向上できる。
【００９０】
また、前記した実施の形態の説明において、「上」、「下」、「左」、「右」、「前」、「後」といった言葉を使用したが、これらは便宜上であって、画像読取装置を配置する状態における絶対的な位置関係を限定するものではない。
【産業上の利用可能性】
【００９１】
尚、前記した実施の形態では、本願発明を画像読取装置に採用した例を示したが、これに限定されるものではなく、他にもＭＦＰ（Ｍｕｌｔｉ  Ｆｕｎｃｔｉｏｎ  Ｐｒｉｎｔｅｒ）やファクシミリ、複写機等にも利用できる。
【符号の説明】
【００９２】
１  画像読取装置、  １１  フラットベッドユニット、  １２  原稿搬送装置、  ２１  原稿トレイ、  ２２  排出トレイ、  ３０  操作パネル、  ５１  原稿トレイ、  １０１  ピックアップローラ、  １０２  搬送ローラ対、  １０３  第１セパレータ、  １０４  第１反転ローラ対、  １０５  レジストローラ対、  １０６  原稿押え部材、  １０７  スキャンローラ対、  １０８  第２セパレータ、  １０９  第２反転ローラ、  １１０  プレッシャローラ、  １１１  プレッシャローラ、  １４０  読み取り原稿、  １５１  読み取りガラス、  １５２  読み取りセンサ、  ２０１  トレイフレーム、  ２０１ａ  ガイド突起、  ２０１ｂ  ガイド突起、  ２０１ｃ  ガイド突起、  ２０１ｄ  ガイド突起、  ２０２  ピニオンギア、  ２０２ａ  フランジ部、  ２０３  ピニオンギア、  ２０３ａ  フランジ部、  ２０５  ガイド長孔、  ２０６  ガイド長孔、  ２０７  角孔、  ２０８  角孔、  ２０９  中央平板部、  ２１０  トレイ平板部、  ２１１  ガイド壁、  ２１１ｂ  規制突起、  ２１２  ガイド壁、  ２１３  ガイド壁、  ２１４  ガイド壁、  ２１４ａ  規制突起、  ２１４ｂ  規制突起、  ２１５  ガイド壁、  ２１６  ガイド壁、  ２１７  ガイド壁、  ２１７ｂ  規制突起、  ２２１  ガイド載置面、  ２３５  ガイド長孔、  ２３６  ガイド長孔、  ２３７  角孔、  ２３８  角孔、  ２４０  サイズ目盛り、  ２５１  負荷変動突起、  ２５１ａ  当接面、  ２５１ｂ  誘導部、  ２５１ｃ  上部面、  ３０１  用紙ガイド、  ３０２  規制面、  ３０３  板状部、  ３０３ａ  載置面、  ３０３ｂ  下部面、  ３０４  規制板、  ３０５  ラック、  ３０５ａ  上面、  ３０５ｂ  歯部、  ３０５ｃ  付勢部、  ３０６  ラック、  ３０６ａ  上面、  ３０６ｂ  歯部、  ３０６ｃ  付勢部、  ３０７  ラック保持部、  ３０８  ラック保持部、  ３２０  ガイドブロック、  ４０１  用紙ガイド、  ４０２  規制面、  ４０３  板状部、  ４０３ａ  載置面、  ４０３ｂ  下部面、  ４０４  規制板、  ４０５  ラック、  ４０５ｂ  歯部、  ４０６  ラック、  ４０６ｂ  歯部、  ４０７  ラック保持部、  ４０８  ラック保持部、  ４０９  規制プレート、  ４１０  指示突起、  ４１１  当接部、  ４２０  ガイドブロック、  ４２０ａ  外側壁、  ５０５ｃ  付勢部、  ５０５ｄ  位置決め突起、  ５１１  ガイド壁、  ５２１  位置決め溝群、  ５２１ａ  位置決め溝、  ５２１ｂ  位置決め溝、  ５２１ｃ  位置決め溝。
【図１】
2017128410.tif 000003
【図２】
2017128410.tif 000004
【図３】
2017128410.tif 000005
【図４】
2017128410.tif 000006
【図５】
2017128410.tif 000007
【図６】
2017128410.tif 000008
【図７】
2017128410.tif 000009
【図８】
2017128410.tif 000010
【図９】
2017128410.tif 000011
【図１０】
2017128410.tif 000012
【図１１】
2017128410.tif 000013
【図１２】
2017128410.tif 000014
【図１３】
2017128410.tif 000015
【図１４】
2017128410.tif 000016
【図１５】
2017128410.tif 000017